(57)【要約】  データ入力用の入力フィールドを複数有するタッチスクリーン装置における直接データ入力をサポートするために、１つの入力フィールドがデータ表示用にアクティブ化されている場合に、物理コンタクトの位置と、物理コンタクトが検知されてからデータ入力動作が開始されるまでの経過時間が検知される。次に、物理コンタクトの位置と、物理コンタクトが検知されてからデータ入力動作が開始されるまでの経過時間との関係に基づいて、データ表示用の入力フィールドのアクティブ化を判定する。そして、アクティブ化された入力フィールドにおいてデータが表示される。
2007515691.tif 000002
【特許請求の範囲】
【請求項１】
データ入力用の入力フィールドを複数有するタッチスクリーン装置における直接データ入力方法であって、１つの入力フィールドがデータ表示用にアクティブ化されている場合に、
物理コンタクトの位置と、物理コンタクトが検知されてからデータ入力動作が開始するまでの経過時間とを検知するステップと、
物理コンタクトの位置と、物理コンタクトが検知されてからデータ入力動作が開始するまでの経過時間との関係に基づいて、データの表示用入力フィールドのアクティブ化を決定するステップと、
アクティブ化された入力フィールドにおいてデータを表示するステップと
を具備することを特徴とする方法。
【請求項２】
一連の表示ルールにしたがって、入力フィールドのアクティブ化を決定することを特徴とする請求項１に記載の方法。
【請求項３】
物理コンタクトが検知される前にすでにアクティブ化されていた入力フィールドが前記物理コンタクトの位置に一致しており、予め定められた制限時間内にデータ入力動作が検知された場合に、前記物理コンタクトが解放されたことを検知した後に、前記物理コンタクトが検知される前にすでにアクティブ化されていた前記入力フィールドにおいてデータが表示されることを特徴とする請求項２に記載の方法。
【請求項４】
物理コンタクトが検知される前にすでにアクティブ化されていた入力フィールドが前記物理コンタクトの位置に一致し、所定の制限時間内にデータ入力動作が検知されない場合、前記物理コンタクトが検知される前にすでにアクティブ化されていた前記入力フィールドのアクティブ化状態を維持するステップを有する
ことを特徴とする請求項２に記載の方法。
【請求項５】
物理コンタクトが検知される前にアクティブ化されていなかった入力フィールドが前記物理コンタクトの位置に一致しており、予め定められた制限時間内にデータ入力動作が検知された場合に、物理コンタクトが解放されたことを検知した後に、前記物理コンタクトが検知される前にすでにアクティブ化されていた入力フィールドにおいてデータを表示する
ことを特徴とする請求項２に記載の方法。
【請求項６】
物理コンタクトが検知される前にすでにアクティブ化されていた入力フィールドを非アクティブ化するステップと、
予め定められた制限時間内にデータ入力動作が検知されなかった場合に、前記物理コンタクトの位置に一致する入力フィールドを新たにアクティブ化するステップと、
データが入力され、物理コンタクトが解放されたことを検知した後に、新たにアクティブ化された前記入力フィールドにデータを表示するステップと
を有することを特徴とする請求項２に記載の方法。
【請求項７】
動作可能なユーザインタフェース要素が物理コンタクトの位置に一致しており、データ入力動作が予め定められた制限時間内に検知された場合に、前記物理コンタクトが解放されたことを検知した後に、前記物理コンタクトが検知される前にすでにアクティブ化されていた入力フィールドにおいてデータを表示する
ことを特徴とする請求項２に記載の方法。
【請求項８】
動作可能なユーザインタフェース要素が物理コンタクトの位置に一致しており、データ入力動作が予め定められた時間制限内に検知されなかった場合、前記物理コンタクトが検知される前にすでにアクティブ化されていた入力フィールドのアクティブ化状態を維持するステップを有する
ことを特徴とする請求項２に記載の方法。
【請求項９】
タッチスクリーン上で機能が割り当てられていない領域が物理コンタクトの位置に一致しており、データ入力動作が検知された場合に、前記物理コンタクトが解放されたことを検知した後に、前記物理コンタクトが検知される前にすでにアクティブ化されていた入力フィールドにおいてデータを表示する
ことを特徴とする請求項２に記載の方法。
【請求項１０】
タッチスクリーン上で機能が割り当てられていない領域が物理コンタクトの位置に一致しており、データ入力動作が検知されない場合に、前記物理コンタクトが検知される前にすでにアクティブ化されていた入力フィールドのアクティブ化状態を維持する
ことを特徴とする請求項２に記載の方法。
【請求項１１】
データ入力を認識するステップを備えることを特徴とする請求項１〜１０のいずれかに記載の方法。
【請求項１２】
物理コンタクトの検知は、感圧技術、感光技術、感磁技術の少なくともいずれかにより実現されることを特徴とする請求項１〜１１のいずれかに記載の方法。
【請求項１３】
入力フィールドがアクティブ化された後、物理コンタクトが解放されるまでの間、入力フィールドサイズを拡大するステップを有することを特徴とする請求項１〜１２のいずれかに記載の方法。
【請求項１４】
データ入力用の複数の入力フィールドを介した直接データ入力用タッチスクリーン装置であって、１つの入力フィールドがデータ表示用にアクティブ化されている場合に、
物理コンタクトの位置と、物理コンタクトが検知されてからデータ入力動作が開始するまでの経過時間とを検知する検知部と、
物理コンタクトの位置と、物理コンタクトが検知されてからデータ入力動作が開始するまでの経過時間との関係に基づいて、データの表示用入力フィールドのアクティブ化を決定する入力フィールド制御部と、
アクティブ化された前記入力フィールドにおいてデータを表示する入力処理部と
を具備することを特徴とするタッチスクリーン装置。
【請求項１５】
前記検知部は、物理コンタクトからデータ入力動作までの前記経過時間を測定するための設定可能タイマ部を有する
ことを特徴とする請求項１４に特徴のタッチスクリーン装置。
【請求項１６】
前記検知部は、物理コンタクトとデータ入力動作の少なくともいずれかを認識するための入力検知部を有する
ことを特徴とする請求項１４または１５に記載のタッチスクリーン装置。
【請求項１７】
入力検知部は、感圧技術、感光技術、感磁技術の少なくともいずれかを介して物理コンタクトを検知することが可能である
ことを特徴とする請求項１６に記載のタッチスクリーン装置。
【請求項１８】
前記入力フィールド制御部は、一連の表示ルールにしたがって入力フィールドを起動するか否かに関する判定可能であることを特徴とする請求項１４〜１７のいずれかに記載のタッチスクリーン装置。
【請求項１９】
前記入力フィールド制御部は、前記物理コンタクトが検知される前にアクティブ化されていた入力フィールドのアクティブ化状態を維持し、
前記入力処理部は、前記物理コンタクトを検知する前にすでにアクティブ化されていた入力フィールドが当該物理コンタクトの位置に一致しており、予め定められた制限時間内にデータ入力動作が検知された場合に、物理コンタクトが解放されたことを検知した後に当該入力フィールドにおいてデータを表示することが可能である
ことを特徴とする請求項１８に記載のタッチスクリーン装置。
【請求項２０】
前記入力フィールド制御部は、前記物理コンタクトが検知される前にすでにアクティブ化されていた入力フィールドが、当該物理コンタクトの位置に一致しており、予め定められた時間制限内にデータ入力動作が検知されない場合には、当該入力フィールドのアクティブ化状態を維持する
ことを特徴とする請求項１８に記載のタッチスクリーン装置。
【請求項２１】
前記入力フィールド制御部は、前記物理コンタクトが検出される前にすでにアクティブ化されていた入力フィールドのアクティブ化状態を維持することが可能であり、
前記入力処理部は、前記物理コンタクトが検知される前にアクティブ化されていなかった入力フィールドが当該物理コンタクトの位置に一致しており、予め定められた制限時間内にデータ入力動作が検知された場合に、前記物理コンタクトが解放されたことを検知した後に、当該物理コンタクトが検知される前にすでにアクティブ化されていた入力フィールドにおいてデータを表示することが可能である
ことを特徴とする請求項１８に記載のタッチスクリーン装置。
【請求項２２】
前記入力フィールド制御部は、前記物理コンタクトが検知される前にすでにアクティブ化されていた入力フィールドを非アクティブ化し、予め定められた制限時間内にデータ入力動作が検知されない場合には、前記物理コンタクトに一致する入力フィールドを新たにアクティブ化することが可能であり、
前記入力処理部は、データが入力され、前記物理コンタクトが解放されたことを検知した後に新たにアクティブ化された入力フィールドにおいてデータを表示することが可能である
ことを特徴とする請求項１８に記載の方法。
【請求項２３】
前記入力処理部は、動作可能なユーザインタフェース要素が物理コンタクトの位置に一致しており、データ入力動作が予め定められた時間制限内に検知された場合に、前記物理コンタクトが解放されたことを検知した後に、当該物理コンタクトが検知される前にすでにアクティブ化されていた入力フィールドにおいてデータを表示することが可能である
ことを特徴とする請求項１８に記載のタッチスクリーン装置。
【請求項２４】
前記入力フィールド制御部は、動作可能なユーザインタフェース要素が前記物理コンタクトの位置に一致しており、データ入力動作が予め定められた時間制限内に検知されなかった場合、前記物理コンタクトが検知される前にすでにアクティブ化されていた入力フィールドのアクティブ化状態を維持することが可能である
ことを特徴とする請求項１８に記載のタッチスクリーン装置。
【請求項２５】
前記入力処理部は、タッチスクリーン上で機能が割り当てられていない領域が前記物理コンタクトの位置に一致しており、データ入力動作が検知された場合に、物理コンタクトが解放されたことを検知した後に、前記物理コンタクトが検知される前にすでにアクティブ化されていた入力フィールドにおいてデータを表示することが可能である
ことを特徴とする請求項１８に記載のタッチスクリーン装置。
【請求項２６】
前記入力フィールド制御部は、タッチスクリーン上で機能が割り当てられていない領域が前記物理コンタクトの位置に一致しており、データ入力動作が検知されない場合に、前記物理コンタクトが検知される前にすでにアクティブ化されていた入力フィールドのアクティブ化状態を維持することが可能である
ことを特徴とする請求項１８に記載のタッチスクリーン装置。
【請求項２７】
前記入力フィールド制御部は、入力フィールドがアクティブ化された後、物理コンタクトが解放されるまでの間、入力フィールドサイズを拡大することが可能である
ことを特徴とする請求項１３〜２６のいずれかに記載の方法。
【請求項２８】
タッチスクリーン装置の内部メモリに直接ロード可能なコンピュータプログラム製品であって、
当該製品が前記タッチスクリーン装置のプロセッサ上で実行された場合に、請求項１〜１３のいずれかの各ステップを実行するソフトウェアコード部分から成る
ことを特徴とするコンピュータプログラム製品。
【発明の詳細な説明】
【技術分野】
【０００１】
タッチスクリーン装置上でのデータ入力に関し、特に、より少ない入力回数で直接のデータ入力を行うことに関する。
【背景技術】
【０００２】
キーボードやキーパッドを用いたデータ入力が次第に陳腐になるにつれて、ＰＤＡ（personal digital assistance）やタブレットＰＣ（tablet personal computer）などのタッチスクリーン装置における手書き認識が将来有望な技術となりつつある。ユーザは、この手書き認識技術により、例えばスタイラスなどを用いた直接操作を行って文書を入力することが可能である。
【発明の開示】
【発明が解決しようとする課題】
【０００３】
しかしながら、斯かるタッチスクリーン装置では、タッチスクリーンのサブ領域が手書き認識専用として固定的に割り当てられている場合が多い。
【０００４】
このため、文字入力に用いられる従来策には、タッチスクリーン領域の大部分がデータ入力に利用可能ではない、また、ユーザはまずデータを表示する位置を入力フィールドで選択した後に入力装置をタッチスクリーンから前後左右移動させてから初めてタッチスクリーンにおけるデータ入力が可能になるというようにデータ入力に必要なステップが多すぎる、といった欠点がある。
【０００５】
以上を鑑み、本発明の目的は、タッチスクリーン装置の直接データ入力を支援することを目的とする。
【課題を解決するための手段】
【０００６】
本発明によれば、上記目的は、請求項１の特徴を有する、タッチスクリーン装置における直接データ入力の方法、ならびに、請求項１４の特徴を有するタッチスクリーン装置により達成される。
【０００７】
本発明によれば、タッチスクリーン装置の入力フィールドを、当該タッチスクリーンの何れのサブ領域上に定義してもよく、タッチスクリーン装置のユーザはデータ入力された文字を表示するべく、その入力フィールドを選択することが可能になる。次に、物理コンタクトの位置、例えば、ペン、スタイラス、指、またはタッチスクリーン上で位置を定めることが可能な他の要素の物理コンタクトの位置を検知することが必要となる。さらに、本発明によれば、物理コンタクトが検知されてから、次のデータ入力動作が検知されるまでの時間を測定することも提案されている。
【０００８】
そして、物理コンタクトの位置と、物理コンタクトを検知してからデータ入力動作が始まるまでの経過時間との関係に基づいて、データ表示用入力フィールドのアクティブ化に関する判定を行うことが可能になる。アクティブ化された入力フィールドは、データを表示するのに用いられる。
【０００９】
本発明の重要且つ有利な特徴として、物理コンタクトの位置とデータ入力動作が開始する適切なタイミングに応じて、データ表示用の異なる入力フィールドを選択可能な点がある。つまり、入力装置をタッチスクリーンから前後左右に継続的に移動させることなく、入力フィールドをアクティブ化した後にデータを入力することができる。これに対し、タッチスクリーンに１回接触した後所定の時間経過後にデータ入力動作が行われた場合、所望の入力フィールドがアクティブ化されるとともに、当該アクティブ化した入力フィールドにおいてデータが表示される。
【００１０】
本発明の好適な態様によれば、表示ルールに従って、入力フィールドをアクティブ化させ、データを表示するかについての判定が行われる。
【００１１】
ルールに従ったこのアプローチを直接データ入力に適用することは、種々の構成を有するタッチスクリーン装置の要件を考慮して満たすにあたって特に有益である。つまり、適切なルールを設定しておけば、入力フィールドの種類、タッチスクリーン装置の他のユーザインタフェース要素の構成にかかわらず、直接入力が可能になる。
【００１２】
好適な態様によれば、斯かるルールのひとつとして、物理コンタクト検知前にすでにアクティブ化されていた入力フィールドが当該物理コンタクトの位置に一致しており、且つ、データ入力動作が所定の制限時間内に検知された場合に、物理コンタクトが解放されたことを検知した後に、当該入力フィールドにおいてデータを表示させる。
【００１３】
なお、タッチスクリーン装置のユーザは、適切なタイミングで、つまり、接触後にすぐさまデータ入力動作を開始することにより、すでにアクティブ化されていた入力フィールドにおけるデータの表示をトリガすることが可能になる。
【００１４】
本発明の別の好適な態様によれば、物理コンタクトが検知される前にすでにアクティブ化されていた入力フィールドが当該物理コンタクトの位置に一致しており、所定の制限時間内にデータ入力動作が検知されない場合には、当該入力フィールドのアクティブ化状態を維持するようにすればよい。
【００１５】
本発明の別の好適な態様によれば、物理コンタクトが検知される前にアクティブ化されていなかった入力フィールドが物理コンタクト位置に一致しており、かつ、データ入力動作が所定の制限時間内に検知された場合に、当該物理コンタクトが解放されたことを検知した後に、物理的コンタクトが検知される前にすでにアクティブ化されていた入力フィールドにおいてデータを表示させる。
【００１６】
本願発明によれば、最初にアクティブ化されていた入力フィールドとは別の入力フィールドが物理コンタクトの位置に一致している場合に、タッチスクリーン装置のユーザが所定の制限時間内にデータ入力を実行するという条件を満たせば、最初にアクティブ化されていた入力フィールドのアクティブ化状態を維持する。
【００１７】
本願発明のこの好適な態様の意味するところは、適切なタイミングを考慮すれば、ユーザはタッチスクリーンのより広範囲に亙ってデータ入力を行うことが可能になる点である。
【００１８】
つまり、最初はデータ入力用としてアクティブ化されていない入力フィールドにデータを入力した場合でも、やはり、最初の入力フィールドにおいてデータが表示されることになる。したがって、ユーザは、最初にアクティブ化された特定の入力フィールドに限られることなく、タッチスクリーンの何れの場所においてもデータ入力を行うことが可能になる。
【００１９】
本発明の別の好適な態様によれば、物理コンタクトが検知される前にすでにアクティブ化されていた入力フィールドを非アクティブ化し、所定の制限時間内にデータ入力動作が検知されない場合には物理コンタクトの位置に一致する入力フィールドを新規にアクティブ化し、データが入力されて物理コンタクトが解放されたことを検知した後に、新規にアクティブ化された入力フィールドにおいてデータを表示するのが好ましい。
【００２０】
したがって、本発明のこの好適な態様によれば、タッチスクリーン装置のユーザは、入力装置をタッチスクリーンから前後左右に動かすといった往復運動をすることなく、コンタクトが検知された後、事前に指定された時間待った上でデータ入力を開始するだけでよい。したがって、タッチスクリーン装置のユーザは、このひとつの操作を適切なタイミングにおいて行うのみで、データ入力を開始することが可能になるのみならず、データ表示の入力フィールドを変更することも可能になる。
【００２１】
本発明のさらに別の好適な態様によれば、動作可能なユーザインタフェース要素が物理コンタクトの位置に一致し、且つ、データ入力動作が所定の制限時間内に検知された場合に、当該物理コンタクトが検知される前に最初にアクティブ化されていた入力フィールドにおいて当該物理コンタクトが解放されたことが検知された後に、データが表示される。
【００２２】
本発明によれば、動作可能なユーザインタフェース要素とは、入力フィールド以外の制御機構を指してもよく、例えば、プッシュ・ボタンや無線ボタン、コンボ・ボックス、ベベル・ボタン、スライド制御、タップ制御など、要は、ユーザが操作すると瞬時のアクションや目に見える結果を引き起こすグラフィック・オブジェクトであればよい。
【００２３】
この好ましい態様によれば、物理コンタクトの検知と入力タイミングを併せて考慮するので、入力フィールドに加えて、ユーザインタフェース要素を直接データ入力処理に組み込むことが可能になる。
【００２４】
本発明のさらに別の好適な態様によれば、動作可能なユーザインタフェース要素が物理コンタクトの位置に一致しており、且つ、所定の制限時間内にデータ入力動作が検知されなかった場合に、最初にアクティブ化されていた入力フィールドのアクティブ化状態が維持される。
【００２５】
この場合もやはり、本発明のこの好適な態様によっても、物理コンタクトが検知された後にデータ入力動作が開始されない場合でも、直接データ入力処理がユーザインタフェース要素にまで拡張される。
【００２６】
本発明の別の好適な態様によれば、タッチスクリーン上で機能が割り当てられていない領域が物理コンタクトの位置に一致し、且つデータ入力動作が検知された場合に、物理コンタクトが解放されたことを検知した後に、物理コンタクトを検知する前にすでにアクティブ化されていた入力フィールドにおいてデータが表示される。
【００２７】
上記に加え、この好適な態様によれば、直接データ入力は、入力フィールドや動作可能なユーザインタフェース要素のみならず、タッチスクリーン装置の何れのサブ領域にも、当該サブ領域に機能が割り当てられているか否かにかかわらず、適用可能である。
【００２８】
本発明の別の好適な態様によれば、タッチスクリーンにおいて機能が割り当てられていない領域が物理コンタクトの位置に一致しており、且つ、データ入力動作が検知されない場合には、最初にアクティブ化された入力フィールドのアクティブ化状態が維持される。
【００２９】
本発明の別の態様によれば、データ認識によりデータ入力をサポートすることが望ましい。
【００３０】
本発明のさらに別の好適な態様によれば、感圧技術や感光技術、感磁技術の少なくとも何れかを用いて物理コンタクトを検知することが望ましい。
【００３１】
したがって、本発明によれば、各種のデータ入力技術を、如何様にも混合した形で利用可能であることから、複数の入力フィールドを考慮した柔軟なデータ入力が達成される。
【００３２】
本発明のさらに別の好適な態様によれば、入力フィールドがアクティブ化された後、物理コンタクトが解放されるまでの間、入力フィールドのサイズを拡大するようにするのが望ましい。
【００３３】
本発明の好適な上記態様の利点としては、複数の入力フィールドが比較的小さなサイズであり、タッチスクリーン上で互いに隣接して配置されている場合に便利である、という点がある。
【００３４】
本発明の別の好適な態様によれば、タッチスクリーンの装置の内部メモリに直接ロード可能なコンピュータプログラム製品であって、当該製品がタッチスクリーン装置のプロセッサ上で実行された場合に本発明の直接データ入力処理を実行するソフトウェアコード部分からなるコンピュータプログラム製品が提供される。
【００３５】
したがって、本発明により、コンピュータまたはプロセッサシステム上で本発明の方法の各ステップを実行することが可能になる。要するに、そのような実行が可能になった結果、コンピュータシステム、または、具体的には、例えばタッチスクリーン装置上のプロセッサで利用可能なコンピュータプログラム製品の提供が可能になる。
【００３６】
本願発明の機能を定義したプログラムは、書き込み不能な記憶媒体、例えば、ＲＯＭやＣＤ−ＲＯＭディスクなどの読み取り専用装置に永久的に記憶された情報に限らず、フロッピーディスクやハードドライブなどの書き込み可能な記憶媒体に記憶された情報、あるいは、モデムや他のインタフェース装置を介したネットワークや電話網、インターネットなどの通信媒体を介してコンピュータ／プロセッサに伝達される情報など、種々の形でコンピュータ／プロセッサに対して配布可能である。斯かる記憶媒体は、本発明の概念を実行するプロセッサが読み取り可能な命令を記憶することにより、本発明の他の態様を含みうることは理解されるべきである。
【００３７】
概して、本発明によれば、タッチスクリーン装置のユーザは、タッチスクリーン装置の複数の入力フィールドから直接データを入力することが可能になる。タッチスクリーンの画面を効率的に利用し、データ入力に通常必要とされる数々のステップを簡略化することが可能になる。その結果、データ入力ステップが減少するので、ユーザは、タッチスクリーン装置が提供する複数種類のサービスを簡単にナビゲートすることが可能になる。
【００３８】
以下において、本発明の様々な側面について、図面を参照しながら説明する。
【発明を実施するための最良の形態】
【００３９】
以下では、本発明の様々な側面、ベストモード、さらに好適な態様について、図面を参照しながら説明する。本願発明に係る機能を説明する限りにおいて、斯かる機能は、ソフトウェアまたはハードウェアのいずれか、その組み合わせにおいて実行される。さらに、各種側面を説明する限りにおいて、直接データ入力の発明概念の付加的な実施および実現を達成すべく、斯かる側面を容易に組み合わせ可能である。
【００４０】
図１は、本願に係るタッチスクリーン装置の概念図を示す。
【００４１】
図１に示すように、本発明に係る直接データ入力用タッチスクリーン装置１０は、検知部１２、入力フィールド制御部１４、入力処理部１６を有する。さらに、検知部は、設定可能タイマ部１８および入力検知部２０を有する。
【００４２】
なお、上記各部は、当該タッチスクリーン装置に備えられたプロセッサまたはマイクロコンピュータの機能を、ハードウェアまたはソフトウェア面またはその組み合わせにおいて利用することにより実行される。さらに、各部が動作するにあたってデータ交換が必要となる範囲において、タッチスクリーン装置で利用可能なＲＡＭやＲＯＭ、ＥＲＰＲＯＭ、バス構造などが本発明の実施の際に利用される。また、さらに、本発明の意味するところのタッチスクリーン装置は、ＰＤＡ、移動電話機、オーガナイザ、ラップトップ型コンピュータ、タブレットＰＣ、端末等、物理コンタクトによりスクリーンを介してデータ入力が可能な如何なる装置をも含む。
【００４３】
図２は、図１に示すタッチスクリーン装置の動作を示すフローチャートである。
【００４４】
図２に示すように、本願発明は、データ入力用に複数の入力フィールドを有するタッチスクリーン装置における直接データ入力の方法に係る。第１のステップＳ１０において、物理コンタクトの位置と、物理コンタクトが検知されてからデータ入力動作が開始されるまでの経過時間とが検知される。なお、物理コンタクトは、タッチスクリーン上に対する最初の接触に関し、データ入力動作は、物理コンタクトを維持した状態におけるタッチスクリーンの領域での入力装置の移動に関する。また、上記経過時間とは、物理コンタクトとデータ入力動作開始との間の時間であるとする。この時間は本発明に係るデータの表示に関して重要な側面である。
【００４５】
図２に示すように、さらに詳細に説明すると、物理コンタクトが検知されてからデータ入力動作が開始されるまでの経過時間は、ステップＳ１２における複数の入力フィールドの１をアクティブ化するかについて判定するにあたっての根拠となる。また、ステップＳ１４において、判定されアクティブ化された入力フィールドにデータを表示する際の根拠ともなる。
【００４６】
なお、本発明において、コンタクト領域は、入力データが表示される前にすでにアクティブ化されていた入力フィールドと同一でなくてもよい。これにより、データの入力とデータの表示との１対１の関係が解消され、データ入力時の柔軟性が向上する。
【００４７】
動作的には、ステップＳ１０に係る機能は図１に示される検出部１２によって実現される。具体的には、物理コンタクトが検知されてからデータ入力動作が開始されるまでの経過時間の測定は設定可能タイマ部１８によって実現され、物理コンタクトとデータ入力動作の検知には入力検知部２０によって実現される。
【００４８】
なお、本発明に係る構成は、適切な方法、つまり、ユーザ・プロファイル・データ、ユーザタイミングの詳細、ユーザグループ特定情報、タッチスクリーン装置の動作コンテキストなどにより実現される。
【００４９】
さらに、入力検知部２０は、物理コンタクトの検知を行うのみならず、データ入力動作も検知する。さらに、入力検知部２０は、感圧技術や感光技術、感磁技術の少なくとも１つ、またはこれらの複合技術に基づいて動作してもよい。
【００５０】
したがって、本発明に係る構成により、エンドユーザの動作スタイルに適応することが可能になる。さらに、ユーザプロファイルやユーザグループ情報のようなユーザ特定データを考慮して、さらには、あるいは代わりに、タッチスクリーン装置の動作コンテキストにしたがって、タッチスクリーン装置において提供される各種サービスにしたがって構成が実現されてもよい。
【００５１】
さらに、ステップＳ１２に係る機能、つまり、物理コンタクトが検知されてからデータ入力動作が開始されるまでの経過時間との関連性からデータ表示用の入力フィールドを判定する処理は、図１に示す入力フィールド制御部１４によって実現される。さらには、ステップＳ１４に係るアクティブ化された入力フィールドにおけるデータの表示は、入力処理部１６によって実現される。この入力処理部１６は、データ表示機能に補助的な機能として、例えば、表示形式や表示色などの制御といった付加的なタスクを実現する。
【００５２】
図３は、図１に示されるタッチスクリーン装置の動作の、さらに詳細なフローチャートを示す。
【００５３】
図３に示すように、ステップＳ１６にしたがい、検出部１２において物理コンタクトがまず検知される。
【００５４】
ステップＳ１８の第１の判定において、アクティブ化された入力フィールドが物理コンタクトの位置に一致するかについて判定される。そして、肯定的な場合にはステップＳ２０において、データ入力動作データ入力動作が所定の時間前に開始するか否か、すなわち、０〜１秒の範囲にあるかが判定される。否定的な場合には、ステップＳ２２において、物理コンタクトが検知される前にアクティブ化されていた入力フィールドのアクティブ化状態が維持される。肯定的な場合、ステップＳ２４において物理コンタクトが解放されたことが検知されると、ステップＳ２６においてアクティブ化された入力フィールドにおけるデータ表示が行われる。
【００５５】
さらに、ステップＳ１８の判定が否定的な場合、ステップＳ２８において、機能が割り当てられていないタッチスクリーン装置の領域と、物理コンタクトの位置が一致するか否か判定される。肯定的な場合には、ステップＳ３０において、さらに判定が行われ、データ入力動作の開始がチェックされる。斯かるデータ入力動作が開始しない場合、ステップＳ３２において、物理コンタクトが検知される前にアクティブ化されていた入力フィールドのアクティブ化状態が維持される一方、開始された場合、ステップＳ２４において物理コンタクトが解放されたことが検知されると、ステップＳ２６において、最初にアクティブ化された入力フィールドにおいてデータが表示される。
【００５６】
さらには、ステップＳ２８の判定が否定的な場合、ステップＳ３４において、動作可能なインタフェース要素が物理コンタクトの位置と一致するかについての判定が行われる。肯定的な場合、ステップＳ３６において、所定の制限時間内にデータ入力動作が開始するかについての判定がさらに行われる。否定的な場合には、ステップＳ３８において、物理コンタクトが検知される前にアクティブ化されていた入力フィールドのアクティブ化状態が維持される一方、肯定的な場合には、ステップＳ２４において物理コンタクトが解放されたことを検知すると、ステップＳ２６において、最初にアクティブ化された入力フィールドに、データが表示されることになる。
【００５７】
さらに、ステップＳ３４の判定が否定的な場合、ステップＳ４０において、非アクティブ化状態の入力フィールドが物理コンタクト位置に一致していると判断され、ステップＳ４２において、所定の制限時間前にデータ入力動作が開始するか否かを判定する。肯定的な場合、ステップＳ２４において物理コンタクトが解放されたことを検知した後に、ステップＳ２６において、アクティブ化されている入力フィールドにおいてデータが表示される。
【００５８】
ステップＳ４２における判定が否定的な場合、データ表示用入力フィールドが変更されることになる。その後、ステップＳ４４において、物理コンタクトが検知される前にアクティブ化されていた入力フィールドが非アクティブ化され、以前非アクティブ化状態だった入力フィールドがアクティブ化される。その後、ステップＳ４６において、データ入力が開始されるか否かが判定される。否定的な場合、ステップＳ４８において、最後にアクティブ化された入力フィールドのアクティブ化状態が維持される一方、肯定的な場合、ステップＳ５０において物理コンタクトが解放されたことが検知された後に、ステップＳ５２において、最後にアクティブ化された入力フィールドにおいてデータが表示されることになる。
【００５９】
なお、図３に関連して説明された機能によれば、ステップＳ１８、Ｓ２０、Ｓ２４、Ｓ２８、Ｓ３０、Ｓ３４、Ｓ３６、Ｓ４０、Ｓ４２、Ｓ４６、Ｓ５０の各判定ステップは、図１に示す検知部１２によって実現される。ステップＳ２２、Ｓ３２、Ｓ３８、Ｓ４４、Ｓ４８の各入力フィールド制御ステップは、図１に示す入力フィールド制御部１４によって実現される。ステップＳ２６とＳ５２のデータ表示は、図１に示す入力処理部１６によって実現される。
【００６０】
さらに、図３を参照して、判定を特定の順序で説明したが、判定ステップ、具体的にはステップＳ１８、Ｓ２８、Ｓ３４、Ｓ４０の上記特定の順序は、本発明の範囲内において自由に変更可能であり、本発明を拘束するものであるとみなされるべきではない。以下において、本発明に係る直接データ入力の概念を、直接データ入力の関連ルールと図４〜１１を参照しながら説明する。
【００６１】
図４は、本発明に係る直接入力の第１のルールを説明するための図である。
【００６２】
図４に示すように、直接データ入力の第１のルールによれば、物理コンタクトが検知される前にすでにアクティブ化されていた入力フィールドｆ１（図４の左部分のカーソルを参照）が物理コンタクトの位置に一致しており、データ入力動作（この場合は文字Ｍ）が所定の制限時間内に検知された場合に、物理コンタクトが解放されたことを検知された後に入力フィールドｆ１においてデータが表示される。
【００６３】
図５は、本発明に係る直接データ入力の第２のルールを示す。
【００６４】
図５に示すように、直接データ入力の第２のルールによれば、最初にアクティブ化された入力フィールドｆ１が物理コンタクトの位置に一致しており、データ入力動作が検知されない場合には、このアクティブ化された入力フィールドｆ１のアクティブ化状態は、コンタクトが解放されたことを検知した後も維持される。
【００６５】
図６は、本発明に係る直接データ入力の第３のルールを示す。
【００６６】
図６に示すように、第３のルールによれば、物理コンタクトが検知される前にアクティブ化されていなかった入力フィールドｆ２が物理コンタクトの位置に一致しており、所定の制限時間内にデータ入力動作が検知された場合に、同物理コンタクトが解放されたことを検知した後に、物理コンタクトの検知前にすでにアクティブ化されていた入力フィールドにおいてデータを表示する。
【００６７】
図７は、本発明に係る直接データ入力の第４のルールを示す。
【００６８】
図７に示すように、直接データ入力のこの第４のルールは、データ表示用の入力フィールドの変更に関わる。具体的には、このルールによれば、物理コンタクトが検知される前にすでにアクティブ化されていた入力フィールドｆ１が非アクティブ化され、物理コンタクトの位置に一致する入力フィールドｆ２が新たにアクティブ化され、物理コンタクトが解放されたことを検知した後に、新たにアクティブ化されたフィールドｆ２においてデータを表示する。直接データ入力の第４のルールを適用する条件は、新たにアクティブ化されたフィールドｆ２が物理コンタクトの位置に一致し、所定の制限時間内にデータ入力動作が検知されない場合である。
【００６９】
図８は、本発明の直接データ入力の第５のルールを示す。
【００７０】
図８に示すように、直接データ入力の第５のルールは、動作可能なユーザインタフェース要素を、本発明に係る直接データ入力処理に組み込むことに関わる。この第５のルールによれば、動作可能なユーザインタフェース要素ｓ１（例えば、ソフトキー）が物理コンタクトの位置に一致し、所定の制限時間内にデータ入力動作が検知された場合に、物理コンタクトが解放されたことを検知された後に、物理コンタクトを検知する前にすでにアクティブ化されていた入力フィールドｆ１においてデータを表示するのが望ましい。
【００７１】
図９は、本発明に係る直接データ入力の第６のルールを示す。
【００７２】
図９に示すように、第５のルールによれば、動作可能なユーザインタフェース要素ｓ１（例えば、ソフトキー）が物理コンタクトの位置に一致し、所定の制限時間内にデータ入力動作が検知されなかった場合に、物理コンタクトを検知する前にすでにアクティブ化されていた入力フィールドｆ１のアクティブ化状態を維持する。
【００７３】
図１０および図１１に示す第７および第８のルールは、第５および第６のルールに類似している。違うのは、動作可能なユーザインタフェース要素の代わりに、ユーザとの対話に関連していないタッチスクリーンのサブ領域、つまり、機能が割り当てられていないタッチスクリーン装置の領域が考慮される点である。また、制限時間が考慮されない点も異なっている。
【００７４】
以上、本発明の異なる好ましい態様について説明したが、本願は、如何なる特定種類のタッチスクリーン装置に限られるものではなく、本発明の範囲を限定することなく、ＰＤＡ（personal digital agent）、タブレットＰＣ、移動電話機やモバイルオーガナイザー等の各種モバイル機器に適用可能である。また、本発明は、タッチスクリーン装置の動作に用いられる特定のオペレーションシステムの如何なる種類のものにも好適であり、データの入力を要求する特定種類のサービスに限られるものではない。また、上記において使用した用語「文字の入力」は、例えば、アルファベット、数字、記号、図形要素など、如何なる種類の入力をも包含する。
【００７５】
上記を考慮すれば、本発明は、本発明の範囲と精神から逸脱しない範囲内で当業者にとって明白であり、容易になし得る変形および変更を用いて実現されてもよいことは明らかである。
【００７６】
よって、本明細書に添付の請求項は、当該明細書の記載に制限されることを意図したものではなく、むしろ、請求項は、本発明に関連する当業者によって均等であるものとして取り扱われるすべての特徴を含む、本発明の新規な特徴となるうるものを包含すると解釈されるべきである。
【図面の簡単な説明】
【００７７】
【図１】本発明に係るタッチスクリーン装置の概念図を示す。
【図２】図１に示されるタッチスクリーン装置の動作を示すフローチャートである。
【図３】図１に示されるタッチスクリーン装置の動作を示す、さらに詳細なフローチャートである。
【図４】本発明に係る直接データ入力の第１のルールを説明する図である。
【図５】本発明に係る直接データ入力の第２のルールを説明する図である。
【図６】本発明に係る直接データ入力の第３のルールを説明する図である。
【図７（ａ）】本発明に係る直接データ入力の第４のルールを説明する図である。
【図７（ｂ）】本発明に係る直接データ入力の第４のルールを説明する図である。
【図８】本発明に係る直接データ入力の第５のルールを説明する図である。
【図９】本発明に係る直接データ入力の第６のルールを説明する図である。
【図１０】本発明に係る直接データ入力の第７のルールを説明する図である。
【図１１】本発明に係る直接データ入力の第８のルールを説明する図である。
【図１】
2007515691.tif 000003
【図２】
2007515691.tif 000004
【図３】
2007515691.tif 000005
【図４】
2007515691.tif 000006
【図５】
2007515691.tif 000007
【図６】
2007515691.tif 000008
2007515691.tif 000009
2007515691.tif 000010
【図８】
2007515691.tif 000011
【図９】
2007515691.tif 000012
2007515691.tif 000013
【図１１】
2007515691.tif 000014
【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
入力データ表示用にアクティブ化可能な入力フィールドを複数有し得るタッチスクリーン装置の入力感応領域との物理コンタクトを介した直接データ入力の方法であって、
入力装置が前記タッチスクリーン装置の入力感応領域に１回接触したときの物理コンタクトの位置と、当該物理コンタクトが検知されてから、前記１回の接触時における前記入力装置と前記タッチスクリーン装置の前記入力感応領域間の物理コンタクトを保持したまま当該入力装置によるデータ入力動作が開始するまでの経過時間とを検知するステップと、
前記物理コンタクトの位置と、当該物理コンタクトが検知されてから前記入力装置によるデータ入力動作が開始するまでの経過時間との関係に基づいて、データの表示用入力フィールドのアクティブ化を決定するステップと、
アクティブ化された前記入力フィールドにおいてデータを表示するステップと
を具備することを特徴とする方法。
【請求項２】
物理コンタクトが検知される前にすでにアクティブ化されていた入力フィールドが前記物理コンタクトの位置に一致しており、予め定められた制限時間内にデータ入力動作が検知された場合に、前記物理コンタクトが解放されたことを検知した後に、前記物理コンタクトが検知される前にすでにアクティブ化されていた前記入力フィールドにおいてデータが表示されることを特徴とする請求項１に記載の方法。
【請求項３】
物理コンタクトが検知される前にすでにアクティブ化されていた入力フィールドが前記物理コンタクトの位置に一致し、所定の制限時間内にデータ入力動作が検知されない場合、前記物理コンタクトが検知される前にすでにアクティブ化されていた前記入力フィールドのアクティブ化状態を維持するステップを有する
ことを特徴とする請求項１に記載の方法。
【請求項４】
物理コンタクトが検知される前にアクティブ化されていなかった入力フィールドが前記物理コンタクトの位置に一致しており、予め定められた制限時間内にデータ入力動作が検知された場合に、前記物理コンタクトが解放されたことを検知した後に、前記物理コンタクトが検知される前にすでにアクティブ化されていた入力フィールドにおいてデータを表示する
ことを特徴とする請求項１に記載の方法。
【請求項５】
物理コンタクトが検知される前にすでにアクティブ化されていた入力フィールドを非アクティブ化するステップと、
予め定められた制限時間内にデータ入力動作が検知されなかった場合に、前記物理コンタクトの位置に一致する入力フィールドを新たにアクティブ化するステップと、
データが入力され、前記物理コンタクトが解放されたことを検知した後に、新たにアクティブ化された前記入力フィールドにデータを表示するステップと
を有することを特徴とする請求項１に記載の方法。
【請求項６】
動作可能なユーザインタフェース要素が前記物理コンタクトの位置に一致しており、データ入力動作が予め定められた制限時間内に検知された場合に、前記物理コンタクトが解放されたことを検知した後に、前記物理コンタクトが検知される前にすでにアクティブ化されていた入力フィールドにおいてデータを表示する
ことを特徴とする請求項１に記載の方法。
【請求項７】
動作可能なユーザインタフェース要素が前記物理コンタクトの位置に一致しており、データ入力動作が予め定められた時間制限内に検知されなかった場合、前記物理コンタクトが検知される前にすでにアクティブ化されていた入力フィールドのアクティブ化状態を維持するステップを有する
ことを特徴とする請求項１に記載の方法。
【請求項８】
タッチスクリーン上で機能が割り当てられていない領域が前記物理コンタクトの位置に一致しており、データ入力動作が検知された場合に、前記物理コンタクトが解放されたことを検知した後に、前記物理コンタクトが検知される前にすでにアクティブ化されていた入力フィールドにおいてデータを表示する
ことを特徴とする請求項１に記載の方法。
【請求項９】
タッチスクリーン上で機能が割り当てられていない領域が前記物理コンタクトの位置に一致しており、データ入力動作が検知されない場合に、前記物理コンタクトが検知される前にすでにアクティブ化されていた入力フィールドのアクティブ化状態を維持する
ことを特徴とする請求項１に記載の方法。
【請求項１０】
入力装置と、当該タッチスクリーン装置の入力感応領域との物理コンタクトによる、データ入力用の複数の入力フィールドを介した直接データ入力用タッチスクリーン装置であって、前記複数の入力フィールドが入力データ表示用としてアクティブ化可能な場合に、
前記入力装置が１回接触したときの物理コンタクトの位置と、当該物理コンタクトが検知されてから、前記１回の接触時における前記入力装置と前記タッチスクリーン装置の前記入力感応領域間の物理コンタクトを保持したまま当該入力装置によるデータ入力動作が開始するまでの経過時間とを検知する検知部と、
物理コンタクトの位置と、物理コンタクトが検知されてからデータ入力動作が開始するまでの経過時間との関係に基づいて、データの表示用入力フィールドのアクティブ化を決定する入力フィールド制御部と、
アクティブ化された前記入力フィールドにおいてデータを表示する入力処理部と
を具備することを特徴とするタッチスクリーン装置。
【請求項１１】
前記入力フィールド制御部は、前記物理コンタクトが検知される前にアクティブ化されていた入力フィールドのアクティブ化状態を維持し、
前記入力処理部は、前記物理コンタクトを検知する前にすでにアクティブ化されていた入力フィールドが当該物理コンタクトの位置に一致しており、予め定められた制限時間内にデータ入力動作が検知された場合に、前記物理コンタクトが解放されたことを検知した後に当該入力フィールドにおいてデータを表示することが可能である
ことを特徴とする請求項１０に記載のタッチスクリーン装置。
【請求項１２】
前記入力フィールド制御部は、前記物理コンタクトが検知される前にすでにアクティブ化されていた入力フィールドが、当該物理コンタクトの位置に一致しており、予め定められた時間制限内にデータ入力動作が検知されない場合には、当該入力フィールドのアクティブ化状態を維持する
ことを特徴とする請求項１０に記載のタッチスクリーン装置。
【請求項１３】
前記入力フィールド制御部は、前記物理コンタクトが検出される前にすでにアクティブ化されていた入力フィールドのアクティブ化状態を維持することが可能であり、
前記入力処理部は、前記物理コンタクトが検知される前にアクティブ化されていなかった入力フィールドが当該物理コンタクトの位置に一致しており、予め定められた制限時間内にデータ入力動作が検知された場合に、前記物理コンタクトが解放されたことを検知した後に、当該物理コンタクトが検知される前にすでにアクティブ化されていた入力フィールドにおいてデータを表示することが可能である
ことを特徴とする請求項１０に記載のタッチスクリーン装置。
【請求項１４】
前記入力フィールド制御部は、前記物理コンタクトが検知される前にすでにアクティブ化されていた入力フィールドを非アクティブ化し、予め定められた制限時間内にデータ入力動作が検知されない場合には、前記物理コンタクトに一致する入力フィールドを新たにアクティブ化することが可能であり、
前記入力処理部は、データが入力され、前記物理コンタクトが解放されたことを検知した後に新たにアクティブ化された入力フィールドにおいてデータを表示することが可能である
ことを特徴とする請求項１０に記載のタッチスクリーン装置。
【請求項１５】
前記入力処理部は、動作可能なユーザインタフェース要素が物理コンタクトの位置に一致しており、データ入力動作が予め定められた時間制限内に検知された場合に、前記物理コンタクトが解放されたことを検知した後に、当該物理コンタクトが検知される前にすでにアクティブ化されていた入力フィールドにおいてデータを表示することが可能である
ことを特徴とする請求項１０に記載のタッチスクリーン装置。
【請求項１６】
前記入力フィールド制御部は、動作可能なユーザインタフェース要素が前記物理コンタクトの位置に一致しており、データ入力動作が予め定められた時間制限内に検知されなかった場合、前記物理コンタクトが検知される前にすでにアクティブ化されていた入力フィールドのアクティブ化状態を維持することが可能である
ことを特徴とする請求項１０に記載のタッチスクリーン装置。
【請求項１７】
前記入力処理部は、タッチスクリーン上で機能が割り当てられていない領域が前記物理コンタクトの位置に一致しており、データ入力動作が検知された場合に、物理コンタクトが解放されたことを検知した後に、前記物理コンタクトが検知される前にすでにアクティブ化されていた入力フィールドにおいてデータを表示することが可能である
ことを特徴とする請求項１０に記載のタッチスクリーン装置。
【請求項１８】
前記入力フィールド制御部は、タッチスクリーン上で機能が割り当てられていない領域が前記物理コンタクトの位置に一致しており、データ入力動作が検知されない場合に、前記物理コンタクトが検知される前にすでにアクティブ化されていた入力フィールドのアクティブ化状態を維持することが可能である
ことを特徴とする請求項１０に記載のタッチスクリーン装置。
【請求項１９】
タッチスクリーン装置の内部メモリに直接ロード可能なコンピュータプログラム製品であって、
当該製品が前記タッチスクリーン装置のプロセッサ上で実行された場合に、請求項１〜９のいずれかの各ステップを実行するソフトウェアコード部分から成る
ことを特徴とするコンピュータプログラム製品。
【手続補正２】
【補正対象書類名】明細書
【補正対象項目名】０００２
【補正方法】変更
【補正の内容】
【０００２】
キーボードやキーパッドを用いたデータ入力が次第に陳腐になるにつれて、ＰＤＡ（personal digital assistance）やタブレットＰＣ（tablet personal computer）などのタッチスクリーン装置における手書き認識が将来有望な技術となりつつある。ユーザは、この手書き認識技術により、例えばスタイラスなどを用いた直接操作を行って文書を入力することが可能である。
【特許文献１】欧州特許出願公開第０３９４６１４号明細書
【特許文献２】米国特許出願公開第２００３／００３８７８８号明細書
【特許文献３】米国特許第６０４９３２９号明細書
【手続補正３】
【補正対象書類名】明細書
【補正対象項目名】０００６
【補正方法】変更
【補正の内容】
【０００６】
本発明によれば、上記目的は、請求項１の特徴を有する、タッチスクリーン装置における直接データ入力の方法、ならびに、請求項１０の特徴を有するタッチスクリーン装置により達成される。
【手続補正書】
【提出日】平成18年7月13日(2006.7.13)
【手続補正１】
【補正対象書類名】特許請求の範囲
【補正対象項目名】全文
【補正方法】変更
【補正の内容】
【特許請求の範囲】
【請求項１】
入力データ表示用にアクティブ化可能な入力フィールドを複数有し得るタッチスクリー
ン装置の入力感応領域との物理コンタクトを介した直接データ入力の方法であって、
入力装置が前記タッチスクリーン装置の入力感応領域に１回接触したときの物理コンタ
クトの位置と、当該物理コンタクトが検知されてから、前記１回の接触時における前記入
力装置と前記タッチスクリーン装置の前記入力感応領域間の物理コンタクトを保持したま
ま当該入力装置によるデータ入力動作が開始するまでの経過時間とを検知するステップと
、
前記物理コンタクトの位置と、当該物理コンタクトが検知されてから前記入力装置によ
るデータ入力動作が開始するまでの経過時間との関係に基づいて、データの表示用入力フ
ィールドのアクティブ化を決定するステップと、
アクティブ化された前記入力フィールドにおいてデータを表示するステップと
を具備することを特徴とする方法。
【請求項２】
物理コンタクトが検知される前にすでにアクティブ化されていた入力フィールドが前記
物理コンタクトの位置に一致しており、予め定められた制限時間内にデータ入力動作が検
知された場合に、前記物理コンタクトが解放されたことを検知した後に、前記物理コンタ
クトが検知される前にすでにアクティブ化されていた前記入力フィールドにおいてデータ
が表示されることを特徴とする請求項１に記載の方法。
【請求項３】
物理コンタクトが検知される前にすでにアクティブ化されていた入力フィールドが前記
物理コンタクトの位置に一致し、所定の制限時間内にデータ入力動作が検知されない場合
、前記物理コンタクトが検知される前にすでにアクティブ化されていた前記入力フィール
ドのアクティブ化状態を維持するステップを有する
ことを特徴とする請求項１に記載の方法。
【請求項４】
物理コンタクトが検知される前にアクティブ化されていなかった入力フィールドが前記
物理コンタクトの位置に一致しており、予め定められた制限時間内にデータ入力動作が検
知された場合に、前記物理コンタクトが解放されたことを検知した後に、前記物理コンタ
クトが検知される前にすでにアクティブ化されていた入力フィールドにおいてデータを表
示する
ことを特徴とする請求項１に記載の方法。
【請求項５】
物理コンタクトが検知される前にすでにアクティブ化されていた入力フィールドを非ア
クティブ化するステップと、
予め定められた制限時間内にデータ入力動作が検知されなかった場合に、前記物理コン
タクトの位置に一致する入力フィールドを新たにアクティブ化するステップと、
データが入力され、前記物理コンタクトが解放されたことを検知した後に、新たにアク
ティブ化された前記入力フィールドにデータを表示するステップと
を有することを特徴とする請求項１に記載の方法。
【請求項６】
動作可能なユーザインタフェース要素が前記物理コンタクトの位置に一致しており、デ
ータ入力動作が予め定められた制限時間内に検知された場合に、前記物理コンタクトが解
放されたことを検知した後に、前記物理コンタクトが検知される前にすでにアクティブ化
されていた入力フィールドにおいてデータを表示する
ことを特徴とする請求項１に記載の方法。
【請求項７】
動作可能なユーザインタフェース要素が前記物理コンタクトの位置に一致しており、デ
ータ入力動作が予め定められた時間制限内に検知されなかった場合、前記物理コンタクト
が検知される前にすでにアクティブ化されていた入力フィールドのアクティブ化状態を維
持するステップを有する
ことを特徴とする請求項１に記載の方法。
【請求項８】
タッチスクリーン上で機能が割り当てられていない領域が前記物理コンタクトの位置に
一致しており、データ入力動作が検知された場合に、前記物理コンタクトが解放されたこ
とを検知した後に、前記物理コンタクトが検知される前にすでにアクティブ化されていた
入力フィールドにおいてデータを表示する
ことを特徴とする請求項１に記載の方法。
【請求項９】
タッチスクリーン上で機能が割り当てられていない領域が前記物理コンタクトの位置に
一致しており、データ入力動作が検知されない場合に、前記物理コンタクトが検知される
前にすでにアクティブ化されていた入力フィールドのアクティブ化状態を維持する
ことを特徴とする請求項１に記載の方法。
【請求項１０】
入力装置と、当該タッチスクリーン装置の入力感応領域との物理コンタクトによる、デ
ータ入力用の複数の入力フィールドを介した直接データ入力用タッチスクリーン装置であ
って、前記複数の入力フィールドが入力データ表示用としてアクティブ化可能な場合に、
前記入力装置が１回接触したときの物理コンタクトの位置と、当該物理コンタクトが検
知されてから、前記１回の接触時における前記入力装置と前記タッチスクリーン装置の前
記入力感応領域間の物理コンタクトを保持したまま当該入力装置によるデータ入力動作が
開始するまでの経過時間とを検知する検知部と、
物理コンタクトの位置と、物理コンタクトが検知されてからデータ入力動作が開始する
までの経過時間との関係に基づいて、データの表示用入力フィールドのアクティブ化を決
定する入力フィールド制御部と、
アクティブ化された前記入力フィールドにおいてデータを表示する入力処理部と
を具備することを特徴とするタッチスクリーン装置。
【請求項１１】
前記入力フィールド制御部は、前記物理コンタクトが検知される前にアクティブ化され
ていた入力フィールドのアクティブ化状態を維持し、
前記入力処理部は、前記物理コンタクトを検知する前にすでにアクティブ化されていた
入力フィールドが当該物理コンタクトの位置に一致しており、予め定められた制限時間内
にデータ入力動作が検知された場合に、前記物理コンタクトが解放されたことを検知した
後に当該入力フィールドにおいてデータを表示することが可能である
ことを特徴とする請求項１０に記載のタッチスクリーン装置。
【請求項１２】
前記入力フィールド制御部は、前記物理コンタクトが検知される前にすでにアクティブ
化されていた入力フィールドが、当該物理コンタクトの位置に一致しており、予め定めら
れた時間制限内にデータ入力動作が検知されない場合には、当該入力フィールドのアクテ
ィブ化状態を維持する
ことを特徴とする請求項１０に記載のタッチスクリーン装置。
【請求項１３】
前記入力フィールド制御部は、前記物理コンタクトが検出される前にすでにアクティブ
化されていた入力フィールドのアクティブ化状態を維持することが可能であり、
前記入力処理部は、前記物理コンタクトが検知される前にアクティブ化されていなかっ
た入力フィールドが当該物理コンタクトの位置に一致しており、予め定められた制限時間
内にデータ入力動作が検知された場合に、前記物理コンタクトが解放されたことを検知し
た後に、当該物理コンタクトが検知される前にすでにアクティブ化されていた入力フィー
ルドにおいてデータを表示することが可能である
ことを特徴とする請求項１０に記載のタッチスクリーン装置。
【請求項１４】
前記入力フィールド制御部は、前記物理コンタクトが検知される前にすでにアクティブ
化されていた入力フィールドを非アクティブ化し、予め定められた制限時間内にデータ入
力動作が検知されない場合には、前記物理コンタクトに一致する入力フィールドを新たに
アクティブ化することが可能であり、
前記入力処理部は、データが入力され、前記物理コンタクトが解放されたことを検知し
た後に新たにアクティブ化された入力フィールドにおいてデータを表示することが可能で
ある
ことを特徴とする請求項１０に記載のタッチスクリーン装置。
【請求項１５】
前記入力処理部は、動作可能なユーザインタフェース要素が物理コンタクトの位置に一
致しており、データ入力動作が予め定められた時間制限内に検知された場合に、前記物理
コンタクトが解放されたことを検知した後に、当該物理コンタクトが検知される前にすで
にアクティブ化されていた入力フィールドにおいてデータを表示することが可能である
ことを特徴とする請求項１０に記載のタッチスクリーン装置。
【請求項１６】
前記入力フィールド制御部は、動作可能なユーザインタフェース要素が前記物理コンタ
クトの位置に一致しており、データ入力動作が予め定められた時間制限内に検知されなか
った場合、前記物理コンタクトが検知される前にすでにアクティブ化されていた入力フィ
ールドのアクティブ化状態を維持することが可能である
ことを特徴とする請求項１０に記載のタッチスクリーン装置。
【請求項１７】
前記入力処理部は、タッチスクリーン上で機能が割り当てられていない領域が前記物理
コンタクトの位置に一致しており、データ入力動作が検知された場合に、物理コンタクト
が解放されたことを検知した後に、前記物理コンタクトが検知される前にすでにアクティ
ブ化されていた入力フィールドにおいてデータを表示することが可能である
ことを特徴とする請求項１０に記載のタッチスクリーン装置。
【請求項１８】
前記入力フィールド制御部は、タッチスクリーン上で機能が割り当てられていない領域
が前記物理コンタクトの位置に一致しており、データ入力動作が検知されない場合に、前
記物理コンタクトが検知される前にすでにアクティブ化されていた入力フィールドのアク
ティブ化状態を維持することが可能である
ことを特徴とする請求項１０に記載のタッチスクリーン装置。
【請求項１９】
タッチスクリーン装置の内部メモリに直接ロード可能なコンピュータプログラム製品で
あって、
当該製品が前記タッチスクリーン装置のプロセッサ上で実行された場合に、請求項１〜
９のいずれかの各ステップを実行するソフトウェアコード部分から成る
ことを特徴とするコンピュータプログラム製品。
【手続補正２】
【補正対象書類名】明細書
【補正対象項目名】０００２
【補正方法】変更
【補正の内容】
【０００２】
キーボードやキーパッドを用いたデータ入力が次第に陳腐になるにつれて、ＰＤＡ（pe
rsonal digital assistance）やタブレットＰＣ（tablet personal computer）などのタ
ッチスクリーン装置における手書き認識が将来有望な技術となりつつある。ユーザは、こ
の手書き認識技術により、例えばスタイラスなどを用いた直接操作を行って文書を入力す
ることが可能である。
【特許文献１】欧州特許出願公開第０３９４６１４号明細書
【特許文献２】米国特許出願公開第２００３／００３８７８８号明細書
【特許文献３】米国特許第６０４９３２９号明細書
【手続補正３】
【補正対象書類名】明細書
【補正対象項目名】０００６
【補正方法】変更
【補正の内容】
【０００６】
本発明によれば、上記目的は、請求項１の特徴を有する、タッチスクリーン装置におけ
る直接データ入力の方法、ならびに、請求項１０の特徴を有するタッチスクリーン装置に
より達成される。
【国際調査報告】
2007515691.tif 000015
2007515691.tif 000016
2007515691.tif 000017